(57)【要約】【課題】            プラスチックフィルム包装体で包装したオシボリの湿潤状態を長期間にわたって保持できるようにすると共に、この包装体を規則的な破断線に沿って誰でも簡単かつ綺麗に開封できる、オシボリ包装体を提供する。【解決手段】        プラスチックフィルム包装体３に開封用ミシン目線６を形成すると共に、この開封用ミシン目線６を被う樹脂被膜７をミシン目線の形成位置に沿って積層形成し、この樹脂被膜７によって包装体内のオシボリ２の湿潤状態を長期間にわたって保持できるようにした。この樹脂被膜７は開封用ミシン目線６に沿ってこのミシン目線と共に容易且つ綺麗に破断されるため、包装体を誰でも簡単かつ綺麗に開封できる。また、開封用ミシン目線６を包装体の胴回り方向の全周囲にわたって形成し、包装体を開封用ミシン目線６で二つに分断して開封できるようにした。【選択図】          図１
0003192820.tif 000002
【実用新案登録請求の範囲】
【請求項１】
湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を延ばして形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体。
【請求項２】
湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を両エンドシール部と平行な方向すなわち包装胴部の胴回り方向に延ばして形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体。
【請求項３】
湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を両エンドシール部と平行な方向すなわち包装胴部の胴回り方向の全周囲にわたって延ばし、該包装体を前記開封用ミシン目線で二つ以上に分断して開封できるように形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体。
【請求項４】
前記オシボリ包装体は、湿潤状態のオシボリシートをロール状に巻いた巻きオシボリの態様又は平らに折り畳んだ折り畳みオシボリの態様でプラスチックフィルムのピロー包装から成る包装体内に封入したオシボリ包装体である、請求項１から３のいずれかに記載のオシボリ包装体。
【請求項５】
前記樹脂被膜をプラスチックフィルム包装体の外側表面に積層形成し、この樹脂被膜は、前記開封用ミシン目線の形成位置が分かるように該開封用ミシン目線の形成位置に沿って延ばして該開封用ミシン目線を被うように形成した、請求項１から３のいずれかに記載のオシボリ包装体。
【請求項６】
前記包装体内に封入された前記オシボリシートがエンドシール部と平行な方向に延びる分断用ミシン目線で二個又は複数個のオシボリシートに分断可能に形成されている、請求項２又は３に記載のオシボリ包装体。
【請求項７】
前記包装体内に封入された前記オシボリシートがエンドシール部と平行な方向に延びる分断用ミシン目線で二個又は複数個のオシボリシートに分断可能に形成され、前記包装体内に封入されたオシボリシートの前記分断用ミシン目線の位置と前記開封用ミシン目線の位置が対応するように形成した、請求項２又は３に記載のオシボリ包装体。
【考案の詳細な説明】
【技術分野】
【０００１】
本考案は、湿潤状態のオシボリシートをプラスチックフィルムの包装体内に封入したオシボリ包装体であり、オシボリの湿潤状態を長期間にわたって保持できると共に、いろいろな材質のフィルム包装体でも簡単かつ綺麗に開封できるオシボリ包装体に関する。
【背景技術】
【０００２】
飲食店、遊技場などで、湿潤状態のオシボリシートをロール状に巻いた巻きオシボリの態様又は平らに折り畳んだコンパクトな折り畳みオシボリの態様でプラスチックフィルムのピロー包装から成る包装体内に封入したオシボリ包装体が広く使用されている。
【０００３】
このオシボリ包装体の開封手段としては、図４に示したように、包装体２のエンドシール部４に開封用ノッチ１０（Ｖ字形ノッチや、単に切れ目を入れた切れ目ノッチ）を形成したオシボリ包装体が広く知られ、端部の開封用ノッチ１０からフィルム包装体２を縦方向（エンドシール部４に直行する方向で、図４に矢印Ａで示した方向）の破れ目に沿って破いて開封している。
【０００４】
しかし、エンドシール部４に開封用ノッチ１０を形成したオシボリ包装体の開封手段には、以下の欠点がある。まず、縦方向の破れ目に沿って破断しやすいフィルム包装体のみ有効であり、縦方向の破れ目に沿って破断し難い他の性質のフィルム包装体では役目を果たさない。
【０００５】
また、端部の開封用ノッチ１０からフィルム包装体２を縦方向（エンドシール部４に直行する方向で、図４に矢印Ａで示した方向）の破れ目に沿って破いて開封する際も、実状では綺麗に開封できず、不規則な破れ目で汚く破られた包装フィルムの残骸がテーブル上に散乱し、見苦しいものであった。しかも、開封した包装体は、縦方向（エンドシール部４に直行する方向で、図４に矢印Ａで示した方向）の破れ目に沿って包装形態が破壊される様に破られるため、もはや包装機能をほとんど有しないものであった。このため、使用済みオシボリや開封時に発生した包装フィルムの破れ屑をオシボリ使用者が開封した包装体内に入れて回収できず、これらがテーブル上に散乱し、見苦しいものであった。
【０００６】
また、エンドシール部４の開封用ノッチ１０は、構造上大きさが限定され小さいため、使用者には分かり難く、特に使用者が小さな子供や老人の場合は、その開封が困難であった。
【０００７】
また、二つ折りにしたオシボリを包装材で平面包装し、この包装材の表裏のいずれかの面に包装材を貫通しないミシン目（深さにおいては傷つける程度が望ましい、と記載してある。）を設けた平面包装オシボリ（特許文献１）が公知である。
【０００８】
しかし、薄くて柔軟性のあるプラスチックフィルム（現在は２０ミクロン前後の厚さが主流である。）の包装材に貫通しないミシン目（深さにおいては傷つける程度が望ましい、と記載してある。）を確実に形成することは技術的に難しい。しかも、この貫通しないミシン目が平面包装オシボリの流通過程での接触や圧力によって一般的なミシン目切れ目のように開いてしまう恐れもある。この結果、特許文献１の平面包装オシボリでは、ミシン目線に包装材を貫通しないミシン目の部分と包装材を貫通するミシン目の部分（ミシン目切れ目）が出現する恐れがあり、貫通するミシン目の部分（ミシン目切れ目）を通して包装内外の空気が通過してしまい、二つ折りオシボリの湿潤状態を長時間にわたって保持できない恐れがある。
【０００９】
また、分断用ミシン目線でオシボリシートを二つに分断できるようにしたオシボリ包装体（例えば、特許文献２、３）が公知である。このオシボリ包装体は、二つに分断したオシボリを食事の前後に分けて使用できる利点がある。しかし、前述したように、開封した包装体は、縦方向（エンドシール部に直行する方向で、図４に矢印Ａで示した方向）の破れ目に沿って包装形態が破壊される様に破られ、もはや包装機能をほとんど有しないため、食事後に使用する分断オシボリの湿潤状態を開封した包装体で保持できない。特許文献３の包装体には、センターシール部に開封用ノッチ（開封用の切り込み）を形成し、この開封用ノッチ（開封用の切り込み）を目印として使用者が開封作業をすること（段落００１９参照）、包装体を胴回り方向で二つに分断した図面（図６）が示されているが、実情として、センターシール部に形成した開封用ノッチ（開封用の切り込み）では、横方向（エンドシール部と平行な方向で、図４に矢印Ｂで示した方向）の破れ目に沿って破断しやすいフィルム包装体のみ有効であり、横方向の破れ目に沿って破断し難い主流のフィルム包装体では役目を果たさない。しかも、センターシール部に形成した開封用ノッチ（開封用の切り込み）のみでは、包装体を胴回り方向の破れ目に沿って綺麗に二つに分断するのは難しいのが実情である。
【先行技術文献】
【特許文献】
【００１０】
【特許文献１】特開平９−２８５４１９号公報
【特許文献２】実公昭６１−３２５５６号公報
【特許文献３】特開２００９−２０７５６７号公報
【考案の概要】
【考案が解決しようとする課題】
【００１１】
このような実情に鑑み、本考案が解決しようとする課題（第１の課題）は、プラスチックフィルム包装体で包装したオシボリの湿潤状態を長期間にわたって保持できるようにすると共に、この包装体を開封してオシボリを取り出す際は、この包装体を規則的な破断線に沿って誰でも簡単かつ綺麗に開封できるようにする、オシボリ包装体を提供することである。
【００１２】
また、本考案が解決しようとする課題（第２の課題）は、いろいろな性質のフィルム包装体、例えば、横方向（エンドシール部と平行な方向）の引張強度に比較して縦方向（エンドシール部に直行する方向）の引張強度が強く、縦方向の破れ目に沿っては破断しやすいが横方向の破れ目に沿っては比較的破断し難い性質のフィルム包装体、あるいは縦方向（エンドシール部に直行する方向）の引張強度に比較して横方向（エンドシール部と平行な方向）の引張強度が強く、横方向の破れ目に沿っては破断しやすいが縦方向の破れ目に沿っては比較的破断し難い性質のフィルム包装体、あるいは縦方向（エンドシール部に直行する方向）と横方向（エンドシール部と平行な方向）の引張強度が同程度で、縦方向と横方向の両方向の破れ目に沿っても破断し難い性質のフィルム包装体のいずれの性質のフィルム包装体でも適用でき、規則的な破断線に沿って誰でも簡単かつ綺麗に開封できる、オシボリ包装体を提供することである。
【００１３】
また、本考案が解決しようとする課題（第３の課題）は、使用済みオシボリや開封時に発生した包装フィルムの破れ屑をオシボリシートが取出された開封後の包装体の中に入れて使用者が回収でき、これらがテーブル上に散乱するのを防止できる、オシボリ包装体を提供することである。
【００１４】
また、本考案が解決しようとする課題（第４の課題）は、誰でも容易に開封位置が分かり、特に使用者が小さな子供や老人でも容易に開封できる、オシボリ包装体を提供することである。
【００１５】
また、本考案が解決しようとする課題（第５の課題）は、分断用ミシン目線でオシボリシートを二つに分断できるようにしたオシボリ包装体においても、分断した最初に使用するオシボリシートが取出された開封後の包装体で後で使用する分断オシボリの湿潤状態をある程度は保持できる、オシボリ包装体を提供することである。
【課題を解決するための手段】
【００１６】
前記した課題（主に第１及び第２の課題）を解決するため、本考案（請求項１の考案）は、湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を延ばして形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体を提供する。前記オシボリ包装体は、湿潤状態のオシボリシートをロール状に巻いた巻きオシボリの態様又は平らに折り畳んだ折り畳みオシボリの態様でプラスチックフィルムの包装体内に封入したオシボリ包装体を含むものである。前記開封用ミシン目線は、破断切れ目線部（プラスチックフィルムを完全に打ち抜いた切れ目）と接続部を破断線に沿って交互に配したもので、前記接続部が、プラスチックフィルムをそのまま残したものの他、前記破断切れ目線部に連続した強度劣化線（例えばプラスチックフィルムにフィルム厚の半分前後の深さの切れ目を入れたもの）を形成したものを含むものとする。本考案における開封用ミシン目線は、特に断わりがなければこの意味で用いている。
【００１７】
本考案（請求項１の考案）のオシボリ包装体は、開封用ミシン目線を包装体の両エンドシール部の間の包装胴部の適位置に延ばして形成してあれば良く、この開封用ミシン目線は、両エンドシール部と平行な方向に延ばして形成したミシン目線、すなわち包装胴部（巻きオシボリを封入した包装体では丸い包装胴部、折り畳みオシボリを封入した包装体では扁平な包装胴部である。以下同じ。）の胴回り方向に延ばして形成したミシン目線でも良く、両エンドシール部に直行する方向に延ばして形成したミシン目線でも良いことを意味している。前記樹脂被膜を形成する溶剤で溶かした樹脂は、ビニール樹脂、アクリル樹脂、ポリエステル樹脂などの熱可塑性樹脂を用いるのが好ましい。
【００１８】
本考案（請求項１の考案）のオシボリ包装体によれば、開封用ミシン目線の形成位置を被う樹脂被膜によって開封用ミシン目線の破断切れ目線部を通した包装内外の空気の流通を完全に阻止でき、包装体内のオシボリシートの湿潤状態を長期間にわたって保つことができる。また、包装体を開封する際、開封用ミシン目線の形成位置を被う樹脂被膜は、この開封用ミシン目線に沿う破断線に沿ってこの開封用ミシン目線と共に容易に且つ綺麗に破断されるため、包装体を開封用ミシン目線に沿う規則的な破断線に沿って誰でも簡単かつ綺麗に開封できる。よって、本考案（請求項１の考案）によれば第１及び第２の課題を解決できる。
【００１９】
また、前記した課題（主に第１〜第３の課題）を解決するため、本考案（請求項２の考案）は、湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を両エンドシール部と平行な方向すなわち包装胴部の胴回り方向に延ばして形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体を提供する。前記オシボリ包装体は、湿潤状態のオシボリシートをロール状に巻いた巻きオシボリの態様又は平らに折り畳んだ折り畳みオシボリの態様でプラスチックフィルムの包装体内に封入したオシボリ包装体を含むものである。
【００２０】
本考案（請求項２の考案）は、開封用ミシン目線を両エンドシール部と平行な方向に延ばして形成した。すなわち開封用ミシン目線を包装体の両エンドシール部の間の包装胴部（巻きオシボリを封入した包装体では丸い包装胴部、折り畳みオシボリを封入した包装体では扁平な包装胴部である。以下同じ。）の胴回り方向に延ばして形成してある。この開封用ミシン目線は、オシボリを取出し可能であれば、包装体の包装胴部の胴回り方向の一部範囲に形成したものでも良く、必ずしも包装体の全周囲にわたって形成することを要しない。この開封用ミシン目線の形成位置は、包装体の両エンドシール部の間の包装胴部の適位置で良く、包装胴部の端部側でも、包装胴部の中央部のいずれでも良い。前記樹脂被膜を形成する溶剤で溶かした樹脂は、ビニール樹脂、アクリル樹脂、ポリエステル樹脂などの熱可塑性樹脂を用いるのが好ましい。
【００２１】
本考案（請求項２の考案）のオシボリ包装体によれば、請求項１の考案と同様に第１及び第２の課題を解決できる。さらに、包装体の包装胴部の胴回り方向に延ばして形成した開封用ミシン目線に沿う破断線に沿って前記樹脂被膜もこの開封用ミシン目線と共に容易に且つ綺麗に破断され、開封した包装体は、包装胴部の胴回り方向に沿って綺麗に破られ開封されるため、オシボリシートを取出した開封後の包装体は包装胴部と一方の端部を残し、ある程度の包装機能を有している。よって、使用済みオシボリや開封時に発生した包装フィルムの破れ屑をオシボリ使用者が開封した包装体内に入れて回収でき、これらがテーブル上に散乱するのを防止できる。よって、本考案（請求項２の考案）によれば第３の課題を解決できる。
【００２２】
また、前記した課題（主に第１〜第３の課題）を解決するため、本考案（請求項３の考案）は、湿潤状態のオシボリシートをプラスチックフィルムのピロー包装から成る包装体内に封入したオシボリ包装体であって、前記包装体の両エンドシール部の間の包装胴部の適位置に、この包装体を開封するための開封用ミシン目線を両エンドシール部と平行な方向すなわち包装胴部の胴回り方向の全周囲にわたって延ばし、該包装体を前記開封用ミシン目線で二つ以上に分断して開封できるように形成すると共に、この開封用ミシン目線の形成位置を被う範囲のプラスチックフィルム包装体の外側表面又は内側表面に前記開封用ミシン目線の破断切れ目線部の通気性を阻止して包装されたオシボリシートの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したことを特徴とするオシボリ包装体を提供する。前記オシボリ包装体は、湿潤状態のオシボリシートをロール状に巻いた巻きオシボリの態様又は平らに折り畳んだ折り畳みオシボリの態様でプラスチックフィルムの包装体内に封入したオシボリ包装体を含むものである。
【００２３】
本考案（請求項３の考案）の開封用ミシン目線は、両エンドシール部と平行な方向すなわち包装胴部（巻きオシボリを封入した包装体では丸い包装胴部、折り畳みオシボリを封入した包装体では扁平な包装胴部である。以下同じ。）の胴回り方向の全周囲（センターシール部を含む）にわたって延ばして形成し、該包装体を両エンドシール部の間の適位置で二つ以上に分断して開封できるように形成してある。この開封用ミシン目線の形成位置は、包装体の両エンドシール部の間の包装胴部の適位置で良く、包装胴部の端部側でも、包装胴部の中央部のいずれでも良い。前記樹脂被膜を形成する溶剤で溶かした樹脂は、ビニール樹脂、アクリル樹脂、ポリエステル樹脂などの熱可塑性樹脂を用いるのが好ましい。
【００２４】
本考案（請求項３の考案）のオシボリ包装体によれば、請求項１の考案と同様に第１及び第２の課題を解決できる。さらに、包装体の胴回り方向の全周囲にわたって延ばし、該包装体を両エンドシール部の間の適位置で二つ以上に分断して開封できるように形成した開封用ミシン目線に沿う破断線に沿って前記樹脂被膜もこの開封用ミシン目線と共に容易に且つ綺麗に破断され、開封した包装体は、包装胴部の胴回り方向に沿って綺麗に破られ二つ以上に分断して開封されるため、オシボリシートを取出した開封後の包装体は包装胴部と一方の端部を残し、ある程度の包装機能を有している。よって、使用済みオシボリや開封時に発生した包装フィルムの破れ屑をオシボリ使用者が開封した包装体内に入れて回収でき、これらがテーブル上に散乱するのを防止できる。よって、本考案（請求項３の考案）によれば第３の課題を解決できる。
【００２５】
また、前記した課題（第４の課題）を解決するため、本考案（請求項５の考案）は、前記樹脂被膜をプラスチックフィルム包装体の外側表面に積層形成し、この樹脂被膜は、前記開封用ミシン目線の形成位置が分かるように開封用ミシン目線の形成位置に沿って延ばして該開封用ミシン目線を被うように形成したオシボリ包装体を提供する。
【００２６】
本考案（請求項５の考案）のオシボリ包装体によれば、オシボリの使用者は、この樹脂被膜を目印にして包装体を開封できるため、誰でも容易に開封位置が分かり、特に小さな子供や老人でも容易に開封できる。よって、本考案（請求項５の考案）によれば第４の課題を解決できる。
【００２７】
また、前記した課題（第５の課題）を解決するため、本考案（請求項６、７の考案）は、前記包装体内に封入された前記オシボリシートがエンドシール部と平行な方向に延びる分断用ミシン目線で二個又は複数個のオシボリシート（巻きオシボリ又は折り畳みオシボリ）に分断可能に形成されているオシボリ包装体を提供する。さらに、本考案（請求項７の考案）は、前記包装体内に封入されたオシボリシートの分断用ミシン目線の位置と前記開封用ミシン目線の位置が対応するように形成したオシボリ包装体を提供する。
【００２８】
本考案（請求項６、７の考案）のオシボリ包装体によれば、分断用ミシン目線でオシボリシートを二つに分断できるようにしたオシボリ包装体においても、開封した包装体は、包装胴部の胴回り方向に沿って綺麗に破られ開封されるため、分断した最初のオシボリシートを取出した開封後の包装体は包装胴部と一方の端部を残し、ある程度の包装機能を有しているため、後で使用する分断オシボリを開封した包装体で包装でき、後で使用する分断オシボリの湿潤状態をある程度は保持できる。さらに、本考案（請求項７の考案）のオシボリ包装体によれば、開封用ミシン目線の形成位置での包装体の開封作業と、分断用ミシン目線での巻きオシボリの分断作業を一緒に行うことができる。
【考案の効果】
【００２９】
本考案（請求項１〜３の考案）のオシボリ包装体によれば、開封用ミシン目線の破断切れ目線部を通した包装内外の空気の流通を樹脂被膜で完全に阻止できるため、プラスチックフィルム包装体で包装したオシボリの湿潤状態を長期間にわたって保持できると共に、この包装体を開封してオシボリを取り出す際は、開封用ミシン目線に沿う破断線に沿って開封用ミシン目線と共に樹脂被膜も容易に且つ綺麗に破断できるため、この包装体を規則的な破断線に沿って誰でも簡単かつ綺麗に開封できる。よって、本考案（請求項１〜３の考案）によれば第１の課題を解決できる。
【００３０】
また、本考案（請求項１〜３の考案）のオシボリ包装体によれば、いろいろな性質のフィルム包装体、例えば、横方向（エンドシール部と平行な方向）の引張強度に比較して縦方向（エンドシール部に直行する方向）の引張強度が強く、縦方向の破れ目に沿っては破断しやすいが横方向の破れ目に沿っては比較的破断し難い性質のフィルム包装体、縦方向（エンドシール部に直行する方向）の引張強度に比較して横方向（エンドシール部と平行な方向）の引張強度が強く、横方向の破れ目に沿っては破断しやすいが縦方向の破れ目に沿っては比較的破断し難い性質のフィルム包装体、縦方向（エンドシール部に直行する方向）と横方向（エンドシール部と平行な方向）の引張強度が同程度で、縦方向と横方向の両方向の破れ目に沿っても破断し難い性質のフィルム包装体のいずれのフィルム包装体であっても、開封用ミシン目線に沿う破断線に沿って開封用ミシン目線と共に樹脂被膜も容易に且つ綺麗に破断できるため、包装体を規則的な破断線に沿って誰でも簡単かつ綺麗に開封できる。よって、本考案のオシボリ包装体の開封手段は、いろいろな性質のフィルム包装体に適用でき、規則的な破断線に沿って誰でも簡単かつ綺麗に開封できる。よって、背景技術で述べた、汚く破られた包装フィルムの残骸がテーブル上に散乱し、見苦しい、という、背景技術における欠点を解消できる。よって、本考案（請求項１〜３の考案）によれば第２の課題を解決できる。
【００３１】
しかも、本考案（請求項２、３の考案）のオシボリ包装体によれば、開封した包装体は、包装胴部の胴回り方向に沿って綺麗に破られ開封されるため、オシボリシートを取出した開封後の包装体は包装胴部と一方の端部を残し、ある程度の包装機能を有している。よって、使用済みオシボリや開封時に発生した包装フィルムの破れ屑をオシボリ使用者が開封した包装体内に入れて回収でき、これらがテーブル上に散乱するのを防止できる。よって、本考案（請求項２、３の考案）によれば第３の課題を解決できる。
【００３２】
また、本考案（請求項５の考案）のオシボリ包装体によれば、誰でも容易に開封位置が分かり、特に小さな子供や老人でも容易に開封できる。よって、本考案（請求項５の考案）によれば第４の課題を解決できる。
【００３３】
また、本考案（請求項６、７の考案）のオシボリ包装体によれば、分断用ミシン目線でオシボリシートを二つに分断できるようにしたオシボリ包装体においても、開封した包装体は、包装胴部の胴回り方向に沿って綺麗に破られ開封されるため、分断した最初に使用するオシボリシートを取出した開封後の包装体は包装胴部と一方の端部を残し、ある程度の包装機能を有しているため、後で使用する分断オシボリを開封した包装体で包装でき、後で使用する分断オシボリの湿潤状態をある程度は保持できる。よって、本考案（請求項６、７の考案）によれば第５の課題を解決できる。
【図面の簡単な説明】
【００３４】
【図１】本考案のオシボリ包装体を示す斜視図である。
【図２】本考案の要部を説明的に示した拡大断面図である。
【図３】本考案のオシボリ包装体の他の実施形態を示す斜視図である。
【図４】従来のオシボリ包装体を示す斜視図である。
【考案を実施するための形態】
【００３５】
本考案の好ましい実施形態を示す図面に基づき説明する。図１の（Ａ）は包装状態のオシボリ包装体を、（Ｂ）は開封状態を示している。図２は図１の要部を説明的に示した拡大断面図である。図１のオシボリ包装体１は、湿潤状態の紙製や不織布製のオシボリシート２をロール状に巻いた巻きオシボリの態様でプラスチックフィルムのピロー包装から成る包装体３内に巻きオシボリ２の端部をエンドシール部４に向けた態様で１個（１本）封入したオシボリ包装体であって、前記包装体３の両エンドシール部４，４の間の包装胴部５の適位置（図１の実施形態では包装胴部５の端部寄りの位置にしたが、この位置に限定するものではない。）に、この包装体３を開封するための開封用ミシン目線６を両エンドシール部４，４と平行な方向すなわち包装胴部５の胴回り方向の全周囲にわたって延ばし、該包装体３を前記開封用ミシン目線６で二つに分断して開封できるように形成すると共に、図２に示したように、この開封用ミシン目線６の形成位置を被う範囲のプラスチックフィルム包装体の外側表面（内側表面でも良い。）に前記開封用ミシン目線６の破断切れ目線部の通気性を阻止して包装されたオシボリシート（巻きオシボリ）２の湿潤状態を保つための樹脂被膜７（図１では便宜的に斜線で示した。）を溶剤で溶かした樹脂を薄く塗布して積層形成したものである。図１において符号８はセンターシール部（破線で一部範囲のみ示した。）を示している。
【００３６】
この樹脂被膜７はプラスチックフィルムの包装体３より破断されやすい弱い破断強度に形成され、且つこの樹脂被膜７が積層形成されている開封用ミシン目線６の形成位置における引張強度は、プラスチックフィルムのみから成る包装体３の引張強度より破断されやすい弱い引張強度に形成したことを特徴としている。
【００３７】
図１では、湿潤状態の巻きオシボリ２をプラスチックフィルムの包装体３内に封入したオシボリ包装体１を示してあるが、湿潤状態のオシボリシートを平らに折り畳んだ折り畳みオシボリの態様でプラスチックフィルムの包装体３内に封入したオシボリ包装体１としても良い。
【００３８】
図１のオシボリ包装体１の開封用ミシン目線６は、前記包装体３の包装胴部５（図１のように巻きオシボリを封入した包装体では丸い包装胴部となる。また折り畳みオシボリを封入した包装体では扁平な包装胴部となる。）の胴回り方向の全周囲（センターシール部８を含む）にわたって延ばして形成し、該包装体３を開封用ミシン目線６の位置で二つに分断して開封できるように形成してある。
【００３９】
図１の実施形態では、前記したように、開封用ミシン目線６を包装体３の両エンドシール部４，４の間の包装胴部５の端部寄りの位置に形成してあるが、この形成位置は特に限定するものではなく、例えば、包装体３の両エンドシール部４，４の間の包装胴部５の中央部に形成しても良く、包装体３の両エンドシール部４，４の間の包装胴部５の適位置で良い。
【００４０】
図１の実施形態の開封用ミシン目線６は、破断切れ目線部（プラスチックフィルムを完全に打ち抜いた切れ目）と接続部を破断線に沿って交互に配したもので、前記接続部がプラスチックフィルムをそのまま残したものとしてある。この開封用ミシン目線６は、ミシン目線に沿って容易に破断できるように、破断切れ目線部間の接続部に比して破断切れ目線部を長くしたミシン目線が好ましい。このような開封用ミシン目線６にすれば、図１の実施形態のように開封用ミシン目線６を包装体３の全周囲にわたって延ばして形成した場合でも、開封用ミシン目線６に沿って容易に包装体を二つに分断して開封できる。そして、破断切れ目線部を長くしたミシン目線であっても開封用ミシン目線６を被う樹皮被膜７の存在によって破断切れ目線部の通気性（破断切れ目線部が長いとこの切れ目を通した包装内外の空気の流通が増し、湿潤オシボリの乾燥を助長してしまう。）を阻止でき、包装体内の巻きオシボリ２の湿潤状態を長期間にわたって保持できる。
【００４１】
なお、課題を解決するための手段の箇所で述べたように、前記開封用ミシン目線６は、破断切れ目線部（プラスチックフィルムを完全に打ち抜いた切れ目）と接続部を破断線に沿って交互に配したもので、前記接続部が、図１の実施例のように、プラスチックフィルムをそのまま残したものの他、図示してないが、前記破断切れ目線部に連続した強度劣化線（例えばプラスチックフィルムにフィルム厚の半分前後の深さの切れ目を入れたもの）を形成したものを採用しても良い。破断切れ目線部に連続した前記強度劣化線を形成した開封用ミシン目線６であれば、破断切れ目線部間の接続部に比して破断切れ目線部をそれほど長く形成しなくても、前記強度劣化線の機能によって、開封用ミシン目線は、ミシン目線に沿って容易に破断できる。そして、このような開封用ミシン目線を採用すれば、図１の実施形態のように開封用ミシン目線６を包装体３の全周囲にわたって延ばして形成した場合でも、開封用ミシン目線６に沿って容易に包装体を二つに分断して開封できる。
【００４２】
前記樹脂被膜７を形成する溶剤で溶かした樹脂は、熱可塑性のプラスチックフィルム包装体との付着性が良く、且つ耐水性（水分を通さない）のあるものを用い、ビニール樹脂、アクリル樹脂、ポリエステル樹脂などの熱可塑性樹脂を用いるのが好ましい。
【００４３】
図１の実施形態では、前記開封用ミシン目線６とこの開封用ミシン目線６の形成位置を被う樹脂被膜７は、前記包装体３の包装胴部５の胴回り方向の全周囲（センターシール部８を含む）にわたって延ばして形成してある。
【００４４】
前記樹脂被膜７は、図２の上に示したように、開封用ミシン目線６の破断切れ目線部が閉じた状態（左右の切れ目が接した状態）において溶剤で溶かした樹脂を塗布して積層形成するのが好ましく、開封用ミシン目線６の破断切れ目線部の開きを阻止できる程度に溶剤で溶かした樹脂を薄く塗布して積層形成するのが好ましい。そして、この樹脂被膜７は、図２の下に示したように、開封用ミシン目線６と共に開封用ミシン目線６に沿って容易に且つ綺麗に破断できるように形成してある。
【００４５】
図１のオシボリ包装体１によれば、開封用ミシン目線６の形成位置を被う樹脂被膜７によって開封用ミシン目線６の破断切れ目線部を通した包装内外の空気の流通を完全に阻止でき、包装体３内のオシボリシート（巻きオシボリ）２の湿潤状態を長期間にわたって保つことができる。また、包装体３を開封する際、開封用ミシン目線６の形成位置を被う樹脂被膜７は、図１（Ｂ）、図２に示したように、この開封用ミシン目線６に沿う破断線に沿ってこの開封用ミシン目線６と共に容易に且つ綺麗に破断されるため、包装体３を開封用ミシン目線６に沿う規則的な破断線に沿って誰でも簡単かつ綺麗に開封できる。包装体３の開封は、開封用ミシン目線６を間にした包装体の両方を引き離すことにより、開封用ミシン目線６に沿う破断線に沿って開封用ミシン目線６と樹脂被膜７は共に破断され、包装体３を開封用ミシン目線６に沿う破断線に沿って簡単かつ綺麗に開封できる。また、図１（Ａ）の巻きオシボリ２を封入したオシボリ包装体１は巻き形態を保つ必要等から空気も封入され膨らませてある。このため包装体３の開封は、例えば、膨らませてある包装体を叩く等して圧力を加えれば、封入空気の作用によって、樹脂被膜７は開封用ミシン目線６の破断線に沿って破裂されるため、包装体を簡単かつ綺麗に開封できる。
【００４６】
さらに、図１のオシボリ包装体１によれば、包装体３の胴回り方向の全周囲にわたって延ばし、該包装体３を両エンドシール部４，４の間の適位置で二つに分断して開封できるように形成した開封用ミシン目線６に沿う破断線に沿って前記樹脂被膜７もこの開封用ミシン目線６と共に容易に且つ綺麗に破断され、開封した包装体３は、包装胴部５の胴回り方向に沿って綺麗に破られ二つに分断して開封されるため、オシボリシート（巻きオシボリ）２を取出した開封後の包装体３（図１の（Ｂ）の右側に示した開封包装体）は包装胴部と一方の端部を残し、ある程度の包装機能を有している。よって、使用済みオシボリや開封時に発生した包装フィルムの破れ屑をオシボリ使用者が開封した包装体３内（図１の（Ｂ）の右側に示した開封包装体）に入れて回収でき、これらがテーブル上に散乱するのを防止できる。
【００４７】
図１の樹脂被膜７は、前記開封用ミシン目線６の形成位置が分かるように開封用ミシン目線６の形成位置に沿って包装体３の胴回り方向の全周にわたり帯状に延ばして該開封用ミシン目線６を外側から被うように形成してある。そして、この樹脂被膜７の表面に開封用ミシン目線６の形成位置が一目で分かるような識別色を印刷で施すことが好ましい。また、樹脂被膜７自体の色を包装体３のフィルムの色（一般的には半透明の乳白色が多い。）と識別できる色（例えば、赤や青や緑色）で区分け形成しても良い。これによって、オシボリの使用者は、この樹脂被膜７を目印にして開封用ミシン目線６の形成位置が分かり、この開封用ミシン目線６の形成位置から包装体３を開封でき、誰でも容易に開封位置が分かり、特に小さな子供や老人でも容易に開封できる。
【００４８】
図３は他の実施形態を示している。図３の（Ａ）は包装状態のオシボリ包装体を、（Ｂ）は開封状態を示している。図３のオシボリ包装体１は、前記包装体３内に端部をエンドシール部４に向けた態様で封入されたオシボリシート（巻きオシボリ）２がエンドシール部４，４と平行な方向に延びる分断用ミシン目線９で二個のオシボリシート（巻きオシボリ）２ａ，２ａに分断可能に形成してある。なお図２の実施形態で示した開封用ミシン目線６及びこの開封用ミシン目線６の形成位置を被う樹脂被膜７は、図１の実施形態と同じであるため、その説明は省略する。分断用ミシン目線９でオシボリシート（巻きオシボリ）２を二つに分断できるようにしたオシボリ包装体１においても、図３の（Ｂ）に示したように、開封した包装体３は、包装胴部５の胴回り方向に沿って綺麗に破られ開封されるため、分断した最初のオシボリシート（巻きオシボリ）を取出した開封後の包装体３は包装胴部と一方の端部を残し、ある程度の包装機能を有しているため、図３の（Ｂ）の右側に示したように、後で使用する分断オシボリ２ａを開封した包装体３で包装でき、後で使用する分断オシボリの湿潤状態をある程度は保持できる。
【００４９】
また、図３のオシボリ包装体１では、包装体３内に封入されたオシボリシート（巻きオシボリ）２の分断用ミシン目線９の位置と開封用ミシン目線６の位置が対応するように形成してある。これによって、開封用ミシン目線６の形成位置での包装体３の開封作業と、分断用ミシン目線９でのオシボリシート（巻きオシボリ）２の分断作業を一緒に行うことができる。
【符号の説明】
【００５０】
１  オシボリ包装体
２  オシボリシート（巻きオシボリ）
３  包装体
４，４  エンドシール部
５  包装胴部
６  開封用ミシン目線
７  樹脂被膜
８  センターシール部
９  分断用ミシン目線
【図１】
0003192820.tif 000003
【図２】
0003192820.tif 000004
【図３】
0003192820.tif 000005
【図４】
0003192820.tif 000006